(57)【要約】【課題】使用状況に応じて機密情報の画像の表示又は機密情報以外の画像の表示を切り替えることができる映像表示装置を提供する。【解決手段】映像表示装置１は、液晶シャッターメガネ２が接続されているか否かを検知するＵＳＢポート接続検知部１１Ｅと、液晶シャッターメガネ２の接続を検知すると、映像コンテンツ１２Ｂに含まれるフレームと交互に表示することで予め定めた色になる画像に不規則な模様を加えてフレームを生成する特殊映像生成部１１Ｂと、映像コンテンツ１２Ｂのフレームと生成されたフレームとを交互に表示制御する映像表示制御部１１Ｃと、映像コンテンツ１２Ｂのフレームに同期してシャッターを開くように液晶シャッターメガネ２を制御する液晶シャッターメガネ制御部１１Ｄとを有する。【選択図】図２
2011010055.tif 000002
【特許請求の範囲】
【請求項１】
シャッターメガネが接続されているか否かを検知する接続検知部と、
前記接続検知部が接続を検知すると、映像コンテンツに含まれる第１のフレームと交互に表示することで予め定めた色に見える画像に不規則な模様を加えて第２のフレームを生成する生成部と、
前記映像コンテンツを表示する表示部と、
前記表示部に対して、前記第１のフレームと前記第２のフレームとを交互に表示制御する映像表示制御部と、
前記第２のフレームの表示タイミングに同期してシャッターを閉じるように前記シャッターメガネを制御するシャッターメガネ制御部とを有することを特徴とする映像表示装置。
【請求項２】
前記映像コンテンツが立体視用の映像であるとき、前記映像表示制御部は、映像コンテンツに含まれる第３のフレームと第４のフレームとを交互に表示制御し、
前記シャッターメガネ制御部は、前記第３のフレームと前記第４のフレームの表示タイミングに同期して左右のシャッターを交互に閉じるように前記シャッターメガネを制御することを特徴とする請求項１に記載の映像表示装置。
【発明の詳細な説明】
【技術分野】
【０００１】
本発明は、映像表示装置に関する。
【背景技術】
【０００２】
機密情報の画像と非機密情報の画像とを交互に表示し、機密情報の機密性を確保しつつ非機密情報の画像の認識を容易にする映像表示装置が知られている。
【０００３】
例えば、特許文献１の映像表示装置は、機密情報の画像の映像信号を出力する第１のＶＲＡＭと、非機密情報の画像の映像信号を出力する第２のＶＲＡＭと、ランダムに２種類の信号を発生するランダム信号発生回路と、第１のＶＲＡＭ又は第２のＶＲＡＭをランダム信号発生回路の信号に同期して切り替えて映像信号を出力する切り替え部と、非機密情報の画像の映像信号の輝度レベルを高く変換する輝度レベル変換回路と、ランダム信号発生回路の信号に同期してシャッターの開閉を行うシャッターメガネとを有するため、シャッターメガネを装着した利用者に対して機密情報の画像のみを提示でき、シャッターメガネを装着しない利用者に対して輝度レベルの高い非機密情報の画像を見えやすく機密情報の画像を見えにくく提示することができる。
【先行技術文献】
【特許文献】
【０００４】
【特許文献１】特開平７−２１９４８９号公報
【発明の概要】
【発明が解決しようとする課題】
【０００５】
しかし、上記した従来の映像表示装置によると、機密情報の画像を取り扱うときと、取り扱わないときとの切り替えを利用者が行う必要があり、切り替え手順が増加するという問題がある。
【０００６】
従って、本発明の目的は、使用状況に応じて機密情報の画像の表示又は機密情報以外の画像の表示を切り替えることができる映像表示装置を提供することにある。
【課題を解決するための手段】
【０００７】
［１］本発明は、上記した目的を達成するため、シャッターメガネが接続されているか否かを検知する接続検知部と、前記接続検知部が接続を検知すると、映像コンテンツに含まれる第１のフレームと交互に表示することで予め定めた色に見える画像に不規則な模様を加えて第２のフレームを生成する生成部と、前記映像コンテンツを表示する表示部と、前記表示部に対して、前記第１のフレームと前記第２のフレームとを交互に表示制御する映像表示制御部と、前記第２のフレームの表示タイミングに同期してシャッターを閉じるように前記シャッターメガネを制御するシャッターメガネ制御部とを有することを特徴とする映像表示装置を提供する。
【０００８】
上記した構成によれば、シャッターメガネの接続に応じて機密情報を含む画像を第３者に知られないよう表示を切り替えることができる。
【発明の効果】
【０００９】
本発明によれば、使用状況に応じて機密情報の画像の表示又は機密情報以外の画像の表示を切り替えることができる。
【図面の簡単な説明】
【００１０】
【図１】本発明の実施の形態に係る映像表示装置の構成例を示す概略図である。
【図２】本発明の実施の形態に係る映像表示装置の構成例を示す概略図である。
【図３】本発明の実施の形態に係る液晶シャッターメガネの構成例を示す概略図である。
【図４】本発明の実施の形態に係る表示画像の構成例を示す概略図である。
【図５】本発明の実施の形態に係る映像表示装置の表示及び液晶シャッターメガネのシャッター動作の組み合わせ例を示す概略図である。
【図６】本発明の実施の形態に係る映像表示装置の動作例を示す概略図である。
【発明を実施するための形態】
【００１１】
（映像表示装置の構成）
図１は、本発明の実施の形態に係る映像表示装置の構成例を示す概略図である。
【００１２】
映像表示装置１は、例えば、ＣＰＵ（Ｃｅｎｔｒａｌ  Ｐｒｏｃｅｓｓｉｎｇ  Ｕｎｉｔ）やＨＤＤ（Ｈａｒｄ  Ｄｉｓｃ  Ｄｒｉｖｅ）等の電子部品から構成されるパーソナルコンピュータ等の情報処理装置であって、映像を表示するＬＣＤ（Ｌｉｑｕｉｄ  Ｃｒｙｓｔａｌ  Ｄｉｓｐｌａｙ）パネル等から構成される表示部１０と、液晶シャッターメガネ２が接続されるＵＳＢプラグ２２が挿入されるＵＳＢポート１３を有する。表示部１０は、後述する液晶シャッターメガネ２のシャッター動作に同期した映像を表示する。
【００１３】
液晶シャッターメガネ２は、それぞれ利用者の左目、右目の視界を制御する液晶シャッターを含むレンズ２０Ｌ、レンズ２０Ｒと、映像表示装置１と情報を通信するケーブル２１と、映像表示装置１のＵＳＢポート１３に接続されるＵＳＢ（Ｕｎｉｖｅｒｓａｌ  Ｓｅｒｉａｌ  Ｂｕｓ）プラグ２２とを有する。液晶シャッターメガネ２を装着した装着した利用者は、レンズ２０Ｌ及び２０Ｒを介して映像表示装置１の表示部１０の映像を見る。
【００１４】
図２は、本発明の実施の形態に係る映像表示装置の構成例を示す概略図である。
【００１５】
映像表示装置１は、ＬＣＤ等から構成されて映像を表示する表示部１０と、ＣＰＵ等から構成される制御部１１と、ＨＤＤ等から構成される記憶部１２と、ＵＳＢプラグを有する外部機器と情報を通信するＵＳＢポート１３とを有する。
【００１６】
制御部１１は、後述する映像コンテンツ１２Ｂを再生する映像再生部１１Ａと、機密情報を含んだ映像コンテンツを再生するとき液晶シャッターメガネ２を装着している利用者以外にその内容を知られないように映像コンテンツに挿入する特殊映像を生成する特殊映像生成部１１Ｂと、表示部１０の映像表示を制御する映像表示制御部１１Ｃと、液晶シャッターメガネ２の液晶シャッターの動作を制御する液晶シャッターメガネ制御部１１Ｄと、ＵＳＢポート１３に接続された外部機器を検知するＵＳＢポート接続検知部１１Ｅとを有する。
【００１７】
記憶部１２は、制御部１１を映像再生部１１Ａ、特殊映像生成部１１Ｂ、映像表示制御部１１Ｃ、液晶シャッターメガネ制御部１１Ｄ及びＵＳＢポート接続検知部１１Ｅとして動作させる映像表示制御プログラム１２Ａと、通常の映像、３Ｄ表示用の映像、機密情報を含んだ映像等を含む映像コンテンツ１２Ｂとを有する。
【００１８】
図３は、本発明の実施の形態に係る液晶シャッターメガネの構成例を示す概略図である。
【００１９】
液晶シャッターメガネ２は、液晶シャッター２００Ｌ及びシャッター駆動部２０１Ｌを有するレンズ２０Ｌと、液晶シャッター２００Ｒ及びシャッター駆動部２０１Ｒを有するレンズ２０Ｒと、液晶シャッターの駆動情報を通信するケーブル２１と、映像表示装置１のＵＳＢポート１３に接続されるＵＳＢプラグ２２とを有する。
【００２０】
液晶シャッター２００Ｌ及び２００Ｒは、それぞれシャッター駆動部２０１Ｌ及び２０１Ｒによって駆動され、例えば、６０Ｈｚ程度の周波数でシャッタリングを繰り返す。液晶シャッター２００Ｌ及び２００Ｒは、それぞれ独立して駆動され、駆動方法については後述する。
【００２１】
図４は、本発明の実施の形態に係る表示画像の構成例を示す概略図である。
【００２２】
機密情報を含む画像１００Ａは、図４（ａ）に示すように、画像１００Ａの色を反転した画像にランダムドット１００ｂを含んだ画像１００Ｂと交互に表示され、液晶シャッターメガネ２を装着した利用者に対して画像１００Ｂを液晶シャッターによって不可視化することで画像１００Ａとして認識され、液晶シャッターメガネ２を装着しない利用者に対してランダムドット１００ｃを含んだ画像１００Ｃとして認識される。
【００２３】
画像１００Ｂの生成方法を以下に説明する。まず、画像１００Ａの各画素の色は、ＲＧＢを用いて、ＣＡ＝αＡＲ＋βＡＧ＋γＡＢである。ただし、白をＣＡ＝１Ｒ＋１Ｇ＋１Ｂ、黒をＣＡ＝０Ｒ＋０Ｇ＋０Ｂとする。次に、２つの画像を合成したときに出力したい色を予めＣＣ＝αＣＲ＋βＣＧ＋γＣＢと定めると、画像１００Ｂの各画素の色は、ＣＢ＝（αＣ−αＡ）Ｒ＋（βＣ−βＡ）Ｇ＋（γＣ−γＡ）Ｂと定められる。また、画像１００Ｂのランダムドット１００ｂの１つの色を、ＣＤＢ１＝（２αＣ−αＡ）Ｒ＋（２βＣ−βＡ）Ｇ＋（２γＣ−γＡ）Ｂ、もう１つの色を、ＣＤＢ２＝（１／２αＣ−αＡ）Ｒ＋（１／２βＣ−βＡ）Ｇ＋（１／２γＣ−γＡ）Ｂとすることで、画像１００Ｃのランダムドットの色は、ＣＤＣ１＝２αＣＲ＋２βＣＧ＋２γＣＢ、ＣＤＣ２＝１／２αＣＲ＋１／２βＣＧ＋１／２γＣＢとなる。
【００２４】
また、図４（ｂ）に示すように、３Ｄ映像である画像１０１Ａ及び画像１０１Ｂは、交互に表示され、液晶シャッターメガネ２を装着した利用者に対して画像１０１Ａを右目に対して不可視化し、画像１０１Ｂを左目に対して不可視化することで３Ｄ画像として認識され、液晶シャッターメガネ２を装着しない利用者に対して画像のズレた画像１０１Ｃとして認識される。
【００２５】
（動作）
以下に、本発明の一実施の形態における映像表示装置の動作を各図を参照しつつ説明する。
【００２６】
まず、利用者は、映像表示装置１を操作することで映像コンテンツ１２Ｂを再生する。再生される映像コンテンツ１２Ｂの種類によって映像表示装置１及び液晶シャッターメガネ２は、以下に説明するように動作する。
【００２７】
図５は、本発明の実施の形態に係る映像表示装置の表示及び液晶シャッターメガネのシャッター動作の組み合わせ例を示す概略図である。
【００２８】
図４（ａ）に示す画像１００Ａ及び１００Ｂを表示する際、図５（ａ）に示すように画像１００Ａと画像１００Ｂは、それぞれ交互に表示される。また、画像１００Ａ及び画像１００Ｂの表示に応じて、画像１００Ａが表示されているタイミングで液晶シャッター２００Ｌ及び２００Ｒは、シャッターを開放し、画像１００Ｂが表示されているタイミングで液晶シャッター２００Ｌ及び２００Ｒは、シャッターを閉鎖する。
【００２９】
また、図４（ｂ）に示す画像１０１Ａ及び１０１Ｂを表示する際、図５（ｂ）に示すように画像１０１Ａと画像１０１Ｂは、それぞれ交互に表示される。また、画像１００Ａ及び画像１００Ｂの表示に応じて、画像１００Ａが表示されているタイミングで液晶シャッター２００Ｒは、シャッターを開放し、画像１００Ｂが表示されているタイミングで液晶シャッター２００Ｌは、シャッターを開放する。
【００３０】
次に、映像表示装置１が図５（ａ）又は（ｂ）に示す動作のうち、いずれか一方を選択するときの手順を説明する。
【００３１】
図６は、本発明の実施の形態に係る映像表示装置の動作例を示す概略図である。
【００３２】
まず、映像再生部１１Ａは、映像コンテンツ１２Ｂの再生指示を受信すると（Ｓ１０）、ＵＳＢポート接続検知部１１Ｅは、ＵＳＢポート１３の接続状態を確認する。
【００３３】
液晶シャッターメガネが接続されているとき（Ｓ１１；Ｙｅｓ）、映像再生部１１Ａは、映像コンテンツが一般的フォーマットか否かを調べて、一般的フォーマットのとき（Ｓ１２；Ｙｅｓ）、特殊映像生成部１１Ｂは、映像コンテンツ１２Ｂから、例えば、各フレームごとに図４（ａ）に示すように画像１００Ａを生成する（Ｓ１３）。次に、画像１００Ａから反転した色で画像を生成し、ランダムドット１００ｂを加えて画像１００Ｂを生成する（Ｓ１４）。
【００３４】
次に、液晶シャッターメガネ制御部１１Ｄは、液晶シャッター２００Ｒ及び２００Ｌを図５（ａ）に示すように制御し（Ｓ１５）、映像表示制御部１１Ｃは、図５（ａ）に示すように画像１００Ａ及び１００Ｂの表示を制御して映像コンテンツを再生する（Ｓ１６）。
【００３５】
次に、映像コンテンツ１２Ｂの再生が終了すると（Ｓ１７；Ｙｅｓ）、動作を終了する。
【００３６】
また、映像コンテンツ１２Ｂが一般的フォーマットでないとき（Ｓ１２；Ｎｏ）、映像再生部１１Ａは、映像コンテンツ１２Ｂを３Ｄコンテンツと認識し（Ｓ１８）、液晶シャッターメガネ制御部１１Ｄは、液晶シャッターメガネ２を、図５（ｂ）に示すように駆動し（Ｓ１９）、映像表示制御部１１Ｃは、３Ｄコンテンツである映像コンテンツ１２Ｂに含まれた画像１０１Ａ及び１０１Ｂを、図５（ｂ）に示すように表示制御し（Ｓ２０）、ステップＳ１７に進む。
【００３７】
また、ステップＳ１１において、ＵＳＢポート１３に液晶シャッターメガネ２が接続されていないとき（Ｓ１１；Ｎｏ）、映像再生部１１Ａ及び映像表示制御部１１Ｃは、通常通り動作し映像コンテンツ１２Ｂを再生フォーマットに従って再生し（Ｓ２１）、ステップＳ１７へと進む。
【００３８】
（実施の形態の効果）
上記した実施の形態によると、液晶シャッターメガネ２の接続状況、及び映像コンテンツ１２Ｂの内容に応じて映像の再生方法、及び液晶シャッターメガネ２のシャッターの動作方法を変更する構成としたため、利用者が表示方法を切り替えることなく機密情報の画像の表示又は機密情報以外の画像の表示を自動で切り替えることができる。
【００３９】
また、機密情報を含む画像を表示するとき、ランダムドット１００ｂを含む画像１００Ｂを生成する構成としたため、ランダムドット１００ｂを用いないときに比べて、利用者は画像１００Ａ及び１００Ｂを認識しづらくなる。なお、画像１００Ａをより認識しづらくするために、画像１００Ａに対して画像１００Ｂの表示時間を長くしてもよい。
【００４０】
［他の実施の形態］
なお、本発明は、上記実施の形態に限定されず、本発明の趣旨を逸脱しない範囲で種々な変形が可能である。例えば、映像コンテンツ１２Ｂの再生に限らず、パーソナルコンピュータのＯＳ等で表示されるすべての映像又は一部のウィンドウ内に表示されるアプリケーション等によって表示される映像について本実施の形態を適用してもよい。また、映像コンテンツ１２Ｂは、動画であってもよいし、静止画であってもよい。
【００４１】
また、上記実施の形態で使用される映像再生部１１Ａ、特殊映像生成部１１Ｂ、映像表示制御部１１Ｃ、液晶シャッターメガネ制御部１１Ｄ及びＵＳＢポート接続検知部１１Ｅは、ＣＤ−ＲＯＭ等の記憶媒体から装置内の記憶部に読み込んでも良く、インターネット等のネットワークに接続されているサーバ装置等から装置内の記憶部にダウンロードしてもよい。また、上記実施の形態で使用される手段の一部または全部をＡＳＩＣ等のハードウェアによって実現してもよい。
【符号の説明】
【００４２】
１…映像表示装置、２…液晶シャッターメガネ、１０…表示部、１１…制御部、１１Ａ…映像再生部、１１Ｂ…特殊映像生成部、１１Ｃ…映像表示制御部、１１Ｄ…液晶シャッターメガネ制御部、１１Ｅ…ＵＳＢポート接続検知部、１２…記憶部、１２Ａ…映像表示制御プログラム、１２Ｂ…映像コンテンツ、１３…ＵＳＢポート、２０Ｌ…レンズ、２０Ｒ…レンズ、２１…ケーブル、２２…ＵＳＢプラグ、１００Ａ…画像、１００Ｂ…画像、１００Ｃ…画像、１００ｂ…ランダムドット、１００ｃ…ランダムドット、１０１Ａ…画像、１０１Ｂ…画像、１０１Ｃ…画像、２００Ｌ…液晶シャッター、２００Ｒ…液晶シャッター、２０１Ｌ…シャッター駆動部、２０１Ｒ…シャッター駆動部
【図１】
2011010055.tif 000003
【図２】
2011010055.tif 000004
【図３】
2011010055.tif 000005
【図４】
2011010055.tif 000006
【図５】
2011010055.tif 000007
【図６】
2011010055.tif 000008